(57)【要約】【課題】  使いやすく、心地良く、比較的単純に製造できるトリートメント装置を提供すること。【解決手段】  トリートメント装置は、キャビティを画定するカバーであって、キャビティが人体の一部を収容するように構成されるカバーを備える。カバーは、複合構造を有する少なくとも一枚のシートを備える。複合構造は、少なくとも二つの層と、二つの層の間に位置する少なくとも一つの接着マトリックスとから成る。二つの層の少なくとも一方は溶剤に対して浸透性であり、二つの層は、接着マトリックスに永久的に接合される。接着マトリックスは、溶剤中で溶解性の少なくとも１種類の活性剤を含む。活性剤は、溶剤中で溶解すると、カバーの少なくとも一方の側から放出される。【選択図】      図１
2004283614.tif 000002
【特許請求の範囲】
【請求項１】
人体の一部を受容するように構成されたキャビティを画定するカバーを備え、カバーが、
複合構造を有する少なくとも一枚のシートと、
複合構造が、少なくとも一方が溶剤に対して浸透性である二つの層と、
二つの層の間に位置する少なくとも一つの接着マトリックスとを具備し、前記二つの層が、溶剤中で溶解する少なくとも一つの活性剤を入れた接着マトリックスに永久接合された、トリートメント装置において、
前記活性剤が前記溶剤中で溶解すると、前記活性剤が前記カバーの少なくとも一方の側から放出されることを特徴とするトリートメント装置。
【請求項２】
前記カバーが、手袋として構成されることを特徴とする請求項１記載の装置。
【請求項３】
前記カバーが、キャップ、指用手袋、フード、ソックス、及び耳を覆うように構成された袋のうちの一つとして構成されることを特徴とする請求項１記載の装置。
【請求項４】
前記カバーが弾性であることを特徴とする請求項１記載の装置。
【請求項５】
前記カバーが、前記カバー自体の上に折り畳まれる一枚のシートから成ることを特徴とする請求項１記載の装置。
【請求項６】
前記カバーが、袋の形に形成された一枚のシートから成ることを特徴とする請求項１記載の装置。
【請求項７】
前記カバーが、互いに張り合わされた複数のシートから成ることを特徴とする請求項１記載の装置。
【請求項８】
前記複数のシートが、前記装置の外周部の一部に沿って張り合わされていることを特徴とする請求項７記載の装置。
【請求項９】
前記シートが、ヒートシール、接着剤及び縫製のうちの一つにより張り合わされることを特徴とする請求項７記載の装置。
【請求項１０】
前記接着マトリックスが、前記溶剤に接触した時に膨張するように構成された少なくとも一つの追加の活性剤を含み、前記接着マトリックスは、前記接着マトリックスが前記溶剤に接触して凝集力を失い、前記活性剤をより容易に放出するように、十分な量の前記少なくとも一つの追加の活性剤を含むことを特徴とする請求項１記載の装置。
【請求項１１】
前記接着マトリックスが、前記溶剤中で溶解可能な少なくとも一つの追加の活性剤を含み、前記接着マトリックスは、前記接着マトリックスが前記溶剤に接触して凝集力を失い、前記をより容易に放出するように、十分な量の前記少なくとも一つの活性剤を含むことを特徴とする請求項１記載の装置。
【請求項１２】
前記接着マトリックスが、前記溶剤中で溶解性であり、前記溶剤に接触した時に膨張するように構成された少なくとも一つの追加の活性剤を含み、前記接着マトリックスは、前記接着マトリックスが前記溶剤に接触した時に凝集力を失い、前記活性剤をより容易に放出するように、十分な量の前記少なくとも一つの追加の活性剤を含むことを特徴とする請求項１記載の装置。
【請求項１３】
前記少なくとも一つの活性剤が、前記溶剤に接触した時に膨張するように構成され、前記接着マトリックスは、前記接着マトリックスが前記溶剤に接触した時に凝集力を失い、前記活性剤をより容易に放出するように、十分な量の前記少なくとも一つの追加の活性剤を含むことを特徴とする請求項１記載の装置。
【請求項１４】
前記接着マトリックスが、前記溶剤に接触した時に膨張するように構成された少なくとも一つの化合物を含有する充填剤を含み、前記接着マトリックスは、前記マトリックスが前記溶剤に接触した時に凝集力を失い、前記活性剤をより容易に放出するように、十分な量の前記少なくとも一つの化合物を含むことを特徴とする請求項１記載の装置。
【請求項１５】
前記接着マトリックスが、少なくとも一つの実質的に不活性な化合物を含む充填剤を含み、前記接着マトリックスは、前記マトリックスが前記溶剤に接触した時に凝集力を失い、前記活性剤をより容易に放出するように、十分な量の前記少なくとも一つの化合物を含むことを特徴とする請求項１記載の装置。
【請求項１６】
前記溶剤が、水を含むことを特徴とする請求項１記載の装置。
【請求項１７】
前記溶剤が、油を含むことを特徴とする請求項１記載の装置。
【請求項１８】
前記溶剤が、ローションを含むことを特徴とする請求項１記載の装置。
【請求項１９】
前記接着マトリックスが、少なくとも一つの吸湿性化合物を含むことを特徴とする請求項１記載の装置。
【請求項２０】
前記接着マトリックスが、0.2〜60重量％の少なくとも一つの吸湿性化合物を含むことを特徴とする請求項１９記載の装置。
【請求項２１】
前記接着マトリックスが、0.5〜40重量％の少なくとも一つの吸湿性化合物を含むことを特徴とする請求項２０記載の装置。
【請求項２２】
前記少なくとも一つの吸湿性化合物が、ポリアクリレート、シリカ、綿繊維、スターチ、アルギン酸塩、カルシウムカーボネート、マグネシウムカーボネート、ビスコース、セルロース及び凍結乾燥品から選択されることを特徴とする請求項１９に記載の装置。
【請求項２３】
前記接着マトリックスは、前記接着マトリックスの接着強度を低下させて、前記接着マトリックスが前記溶剤に接触した時に破裂可能にし、前記活性剤の放出を促進するように構成された少なくとも一つの物質を含むことを特徴とする請求項１記載の装置。
【請求項２４】
前記少なくとも一つの物質が、実質的に不活性であることを特徴とする請求項２３記載の装置。
【請求項２５】
前記少なくとも一つの物質が、不活性化合物の微細ビード及び不活性化合物の粉末の少なくとも一方を含むことを特徴とする請求項２４記載の装置。
【請求項２６】
不活性化合物の前記粉末が、ポリアミド粉末を含むことを特徴とする請求項２５記載の装置。
【請求項２７】
前記活性剤が、ビタミンＣ、ビタミンＡ、ビタミンＦ、グリセリン、ラポナイト、湿潤剤、コラーゲン、サリチル酸、チオ酸、必須芳香油、着色剤、カフェイン、酸化防止剤、遊離基捕捉剤、保湿剤、脱色剤、脂肪調節剤、にきび防止剤、頭垢取り剤、老化防止剤、軟化剤、皺防止剤、表皮剥奪剤、抗炎症剤、スキンローション、治癒剤、血管保護剤、抗菌剤、抗真菌剤、制汗剤、脱臭剤、スキンコンディショナー、麻酔剤、免疫調整剤及び栄養剤から選択されることを特徴とする請求項１記載の装置。
【請求項２８】
前記接着マトリックスが、磁気粒子及び磁化可能粒子の少なくとも一方を含むことを特徴とする請求項１記載の装置。
【請求項２９】
二つの層の少なくとも一方が不織布から成ることを特徴とする請求項１記載の装置。
【請求項３０】
前記二つの層の各々が不織布から成ることを特徴とする請求項１記載の装置。
【請求項３１】
前記カバーが内側表面及び外側表面を備え、前記内側表面が前記外側表面とは異なる粗さを有することを特徴とする請求項１記載の装置。
【請求項３２】
前記二つの層の各々が互いに異なる多孔性を有することを特徴とする請求項１記載の装置。
【請求項３３】
前記二つの層の各々が互いに異なる色を有することを特徴とする請求項１記載の装置。
【請求項３４】
前記二つの層の各々が互いに異なる厚さを有することを特徴とする請求項１記載の装置。
【請求項３５】
前記カバーが、ヒートシール可能なウエブを上に備える表面を有することを特徴とする請求項１記載の装置。
【請求項３６】
前記二つの層の少なくとも一方が、二つの対向する表面を有する不織布から成り、前記ヒートシール可能なウエブが前記不織布の一方の表面にあり、前記不織布の他方の表面は前記接着マトリックスに接合されることを特徴とする請求項３５記載の装置。
【請求項３７】
前記二つの層の少なくとも一方が少なくとも部分的に不浸透性であることを特徴とする請求項１記載の装置。
【請求項３８】
前記少なくとも部分的に不浸透性の層が、前記接着マトリックスと前記カバーの外側との間に位置することを特徴とする請求項３７記載の装置。
【請求項３９】
前記複合構造は、組成が同じ少なくとも二つの接着マトリックスから成り、前記少なくとも二つの接着マトリックスが並置及び重ね合わされているマトリックスであることを特徴とする請求項１記載の装置。
【請求項４０】
前記複合構造が、少なくとも二つの組成の少なくとも二つの接着マトリックスを含み、前記少なくとも二つの接着マトリックスが並置又は重ね合わされているマトリックスであることを特徴とする請求項１記載の装置。
【請求項４１】
前記複合構造が、順に第一溶剤浸透性層、第一接着マトリックス、第二接着マトリックス、及び第二溶剤浸透性層から成る層の重ね合わせから成ることを特徴とする請求項１記載の装置。
【請求項４２】
前記複合構造が、順に第一浸透性層、少なくとも一つの活性剤を含む第一接着マトリックス、不浸透性中間層、少なくとも一つの活性剤を含む第二接着マトリックス、及び第二浸透性層から成る層の重ね合わせから成り、第一及び第二接着マトリックスが異なる活性剤を含むことを特徴とする請求項１記載の装置。
【請求項４３】
前記少なくとも一枚のシートは、前記活性剤を前記カバーの一方の側に向かって、拡散させることができるように構成されることを特徴とする請求項１記載の装置。
【請求項４４】
前記少なくとも一枚のシートは、前記活性剤を前記カバーの内側に向かって、拡散させることができるように構成されることを特徴とする請求項４３記載の装置。
【請求項４５】
人体の一部をトリートメントする装置を製造する方法において、
少なくとも二つ層間に、少なくとも一つの接着マトリックスの複合構造から成る少なくとも一枚のシートを備え、前記二つの層の少なくとも一方が溶剤に対して浸透性であり、前記二つの層が、前記接着マトリックスに永久的に接合され、前記接着マトリックスが、前記溶剤中で溶解性の少なくとも一つの活性剤を含み、前記少なくとも一つの活性剤が、溶解した時に前記シートの少なくとも一方の側を介して放出されるシートを形成し、
前記少なくとも一枚のシートを前記シート自体の上に折り畳むか、前記少なくとも一枚のシートを袋状に形成するか、又は前記少なくとも一枚のシートを、少なくとも一枚の他のシートと組合せるか、その少なくとも一つを行い、人体の一部を収容できるキャビティを画定するカバーを形成するステップと、
を含むことを特徴とする方法。
【請求項４６】
人体の一部を処理する方法において、
請求項１に記載のトリートメント装置のカバーにより画定されるキャビティ内に、処理する人体部分を差し込むステップと、
前記カバーを溶剤に接触するように配置するステップと、
を含むことを特徴とする方法。
【請求項４７】
前記カバーと前記キャビティ内の人体部分との間にマッサージ運動を加えることをさらに含むことを特徴とする請求項４６記載の方法。
【請求項４８】
最初の処理後、前記カバーの内側を外側に裏返し、前記内側を外側にしたカバーを使用して、処理を繰り返すことをさらに含むことを特徴とする請求項４６記載の方法。
【請求項４９】
前記カバーが、人体部分を前記キャビティ内に入れる前に前記溶剤に接触するように配置されることを特徴とする請求項４６記載の方法。
【請求項５０】
前記カバーが、人体部分を前記キャビティ内に入れた後に前記溶剤に接触するように配置されることを特徴とする請求項４６記載の方法。
【請求項５１】
少なくとも一方の手の少なくとも一部分を処理するための手袋において、請求項１記載の装置を備えることを特徴とする手袋。
【請求項５２】
保湿剤、荒れ止め剤、疱疹防止剤、火傷治療剤、湿疹治療剤、及び治癒促進剤の少なくとも一つを含むことを特徴とする請求項５１記載の手袋。
【請求項５３】
少なくとも一方の手の少なくとも一部分を処理する方法において、
手を請求項５１に記載の手袋内に挿入するステップと、
前記手袋を溶剤に接触するように配置するステップと、
を含むことを特徴とする方法。
【請求項５４】
前記カバーが、人体部分を前記キャビティ内に入れる前に、前記溶剤に接触するように配置されることを特徴とする請求項５３記載の方法。
【請求項５５】
前記カバーが、人体部分を前記キャビティ内に入れた後に、前記溶剤と接触するように配置されることを特徴とする請求項５３記載の方法。
【発明の詳細な説明】
【技術分野】
【０００１】
本発明は、人体のある部分、例えば手、顔又は髪を処理するための装置に関する。
【発明の開示】
【発明が解決しようとする課題】
【０００２】
使いやすく、心地良く、比較的単純に製造できるトリートメント装置を提供することは、有益である。
【課題を解決するための手段】
【０００３】
本発明による例示的なトリートメント装置は、人体の一部を受容するように構成されたキャビティを画定するカバーを備える。このカバーは、少なくとも二つの層の間に位置する少なくとも一つの接着マトリックスを備える複合構造であって、二つの層の少なくとも一方の層が、溶剤浸透性である複合構造を有する少なくとも一枚のシートから成る。二つの層は、直接又は間接的に接着マトリックスに永久接合される。接着マトリックスは、溶剤中で溶解する少なくとも一つの活性剤を含む。この活性剤は、いったん溶解すると、カバーの少なくとも一方の側から放出するのに適する。
【０００４】
本明細書で使用する場合、互いに「永久接合」される二個以上の構造要素は、完全に手で加えられる張引力を使用して、お互い容易に分離することはできない。例えば、包帯上の接着剤と接触する放出層は、包帯の他の部分に「永久接合」されなくても良い。
【０００５】
例示的なトリートメント装置は、カバーの全体又は一部を溶剤、例えば水に接触させると、容易に処理を行うことができる。処理は、カバーの内部、カバーの外部、又は内部及び外部の両方で行うことができる。
【０００６】
処理をカバー内部で行う場合、活性剤は、カバー内部に配置された人体部分、例えば手に接触すると放出する。カバーは、処理領域に接触して放出された一つ以上の種類の活性剤の作用を促進させて、処理の効果を強化し、適切には、一つ以上の種類の活性剤が、皮膚中に浸透するのを改善するのに適する熱効果を追加する。
【０００７】
処理がカバーの外部で行われる場合、トリートメント装置は、例えば顔面を覆う布のように使用することができる。マッサージ作用は、一つ以上の活性剤を与える作用、及び／又は皮膚の洗浄作用と組み合わせることができる。
【０００８】
カバーは、手を処理することができるか、及び／又はカバーを使用して人体の他のある部分を処理することができるように、手袋、例えばミトンの形態で良い。
【０００９】
カバーは、別の方法によると、使用者の頭部上に配置して髪又は頭皮を処理するために、キャップの形態であり得る。
【００１０】
別の方法によると、カバーは、指を処理することができるように、指用の手袋の形態で良い。
【００１１】
カバーは、その他の様々な形態を取ることができる点を理解するべきである。例えば、カバーは、髪及び／又は顔を処理するために構成されたフード、ソックス、又は例えば耳の周囲に配置するための袋として形成することができる。
【００１２】
カバーは、例えばカバーの内部が外部と連通する開口部周囲に弾性を持たせても良い。弾性開口部は、内部に収容される人体部分にカバーをより良く保持することができる。弾性のある開口部により、カバーを袋にして形成することができる。
【００１３】
カバーは、カバー自体の上に折り畳まれるか、又は袋を形成する形をした一枚のシートから製造される。別の方法によると、カバーは、互いに組合された二枚以上のシートから製造される。
【００１４】
二枚のシートを互いに組合せる場合、組合せは、人体の一部を挿入するための開口部を残すようにシート外周部の一部で行う。
【００１５】
シートは、例えばヒートシール、接着剤又は縫製により互いに組合せることができる。
【００１６】
カバーは、ある程度伸張性があるように、スロット又は開口部がエキスパンドメタルとして千鳥形に構成して配置される。
【００１７】
例示的な実施態様によると、接着マトリックスは、使用する溶剤中で溶解可能であるか、及び／又は溶剤と接触して膨張することができる一つ以上の活性剤を含む。活性剤は、溶剤と接触して凝集力を失い、一つ以上の活性剤を容易に放出するのに十分な量だけマトリックス中に導入する。別の方法によると、又は追加として、接着マトリックスは、溶剤と接触して膨張することができる一つ以上の化合物から成る充填剤を含むことができる。充填剤は、溶剤と接触して凝集力を失い、一つ以上の活性剤を容易に放出するのに十分な量だけマトリックス中に導入する。別の方法によると、又は追加として、接着マトリックスは、マトリックスが溶剤と接触して凝集力を失い、その結果一つ以上の活性剤をより容易に放出するのに十分な量だけ、一つ以上の実質的に不活性な化合物から成る充填剤を含むことができる。
【００１８】
接着マトリックスは、一つ以上の吸湿性化合物、例えば0.2〜60重量％の吸湿性化合物、又は0.5〜40重量％の吸湿性化合物を含むことができる。化合物は、ポリアクリレート、シリカ、綿繊維、スターチ、アルギン酸塩、カルシウム及びマグネシウムカーボネート、ビスコース、セルロース、凍結乾燥品などから選択する。吸湿性化合物のほかに（又はこれに代わるものとして）、接着マトリックスは、接着力が減少して溶剤と接触すると破裂し、一つ以上の活性剤を容易に放出することができる一つ以上の物質を含むことができる。これら物質は、例えば、不活性化合物の微細ビード又は粉末、例えばORGASOLの名称で知られているポリアミド粉末などの実質的に不活性な物質を含むことができる。
【００１９】
接着マトリックスは、ビタミンＣ、ビタミンＡ、ビタミンＦ、グリセリン、ラポナイト、湿潤剤、コラーゲン、サリチル酸、チオ酸、必須芳香油、着色剤、カフェイン、酸化防止剤、遊離基捕捉剤、保湿剤、脱色剤、脂肪調節剤、にきび防止剤、頭垢取り剤、老化防止剤、軟化剤、皺防止剤、表皮剥奪剤、抗炎症剤、スキンローション、治癒剤、血管保護剤、抗菌剤、抗真菌剤、制汗剤、脱臭剤、スキンコンディショナー、麻酔剤、免疫調整剤、栄養剤などから選択した一つ以上の活性剤を含むことができる。
【００２０】
接着マトリックスは、微小循環を改善するために磁性であるか又は磁化可能な粒子も含むことができる。この複合構造は、例えば、極性が異なる個々の磁界を生成することができる少なくとも二層の磁化可能な粒子を含むことができる。
【００２１】
溶剤は、水以外の溶剤、例えばオイル又はローションでも良い。
【００２２】
本発明による例示的なトリートメント装置は、一つ又は複数の接着マトリックス中に一つ以上の活性剤を組み込むことにより、これら活性剤を容易に包装することを可能にする。保管は、使用時にのみカバーに溶剤を含浸させることができるように、良好な条件下において無水状態で行うと良い。それにより、防腐剤の使用を防止するか、又は防腐剤の濃度を減少させることを可能にする。包装も、より単純に行うことができる。
【００２３】
マトリックスの単位面積当たりの質量は、例えば1平方メートル当たり10グラム（g／m２）〜100g／m２である。
【００２４】
例示的な実施態様では、接着マトリックスに接触する層の一つは、不織布を含む。随意に、不織布は、剥離フィルム、網、ウエブ、織布、スポンジ、フェルトなどに積層しても良い。接着マトリックスは、各々の層が例えば不織布をから成る二つの多孔性層の間に存在する。
【００２５】
カバーの内側及び外側は、粗さが異なっても良い。間にマトリックスが存在する層は、異なる厚さ及び／又は孔サイズを有し、例えば、使用者が、内側を外側にしてカバーを裏返すことによりどちらの面を選択するかに応じて、二つのタイプの適用が可能である。カバーの外面及び内面は、使用者が見分けやすいように異なる色を有して良い。
【００２６】
カバーの一方の面、例えば内面は、表面にヒートシール可能なウエブを備えることができる。二つの層の一方は、二つの対向する表面を有する不織布であって、ヒートシール可能なウエブが不織布の一方の表面にあり、不織布の他方の表面が、接着マトリックスに接合される不織布から成る。このウエブは不可欠ではなく、カバーを構成する一枚又は複数のシートを多くの方法で組合せることが可能であると考えるべきである。
【００２７】
例示的な実施態様では、複合構造は、溶剤の蒸発を遅らせることにより皮膚中への活性剤の拡散を促進するように、不浸透性であるか、又は部分的に閉塞性（つまり、半不浸透性）である層を備える。この不浸透性又は部分的に閉塞性の層は、処理がカバー内側で行われる場合、マトリックスとカバーの外側との間に存在する。この構成では、不浸透性又は部分的に閉塞性の層は、例えば溶剤が揮発性であるか、又はごく少量の溶剤をカバー中に導入する場合、必要なら溶剤をカバーの内側に保持するのに役立つ。
【００２８】
複合構造は、組成物の並置又は重ね合わされた少なくとも二つの接着マトリックスも備える。これら組成物は同じであっても、異なっても良い。例えば、すべての活性剤を単一の接着マトリックス中に組み込もうとするのではなく、活性剤の所望の組合せを得るために、二つ以上の接着マトリックスを互いに組合せることが望ましい。例えば、特定の接着マトリックスは、一つ以上の選択した活性剤を使って多量に製造することができる。次に、マトリックスは、多様な構成を有するある範囲の複合構造を構成するように、その他の活性剤を含む一つ以上の接着マトリックスと組合せることができる。
【００２９】
本発明の例示的な態様によると、複合構造は、順に以下の層の重ね合わせから構成される：溶剤に対して浸透性の第一層、第一接着マトリックス、第二接着マトリックス、及び溶剤に対して浸透性の第二層。もう一つの例示的な形態によると、複合構造は、順に以下の層の重ね合わせから構成される。溶剤に対して浸透性の第一層、少なくとも一つの活性剤を含む第一接着マトリックス、不浸透性の中間層、少なくとも一つの活性剤を含む第二接着マトリックス、及び第二浸透性層。第一及び第二接着マトリックスは、異なる活性剤を含んでも良い。
【００３０】
こうした複合構造は、接着マトリックスを別個に各々の浸透性層に塗布して製造することができる。次に、これら塗布層を直接、さもなければ中間層、例えば不浸透性層又は浸透性層の周囲で組合せる。
【００３１】
もう一つの例示的な形態によると、複合構造は、異なる活性剤を含む二つの並置領域から成る第一接着マトリックスを備える。この複合構造は、同様に、異なる活性剤、例えば第一接着マトリックス中に含まれる活性剤とは異なる活性剤を含む二つの並置領域から成る第二接着マトリックスを、随意に備えることができる。この構成は、特定の複合構造内における活性剤の組合せの数を増加させるか、及び／又は処理される領域の性質及び位置に活性剤の分布を適応させるる。
【００３２】
また、この複合構造は、接着マトリックス中に含まれている一つ以上の活性剤が、カバーの一方の表面に向かって拡散するのを促進するように構成される。溶剤浸透性層、例えば不織布により画定されるカバーの表面方向への拡散を生じさせるために、接着マトリックスを溶剤浸透性層上に流体状態で配置し、溶剤浸透性層の繊維又は粒子間において、これら繊維又は粒子の少なくとも一部分の上で、少なくとも部分的に拡散できるようにする。
【００３３】
本発明のもう一つの例示的な形態により、人体の一部を処理するための装置を製造する方法を提供する。この方法は、二つの層の間に存在する少なくとも一つの接着マトリックスの複合構造を備える少なくとも一枚のシートを提供することを含む。これら二つの層は、接着マトリックスに永久的に接合することができる。接着マトリックスは、溶剤中で溶解可能であって、いったん溶解すると、シートの少なくとも一方の側を通って放出するのに適する少なくとも一つの活性剤を含む。この方法は、少なくとも一枚のシートをシート自体の上に折り畳むか、又はシートを袋状に形成するか、又はシートを少なくとも一枚の他のシートと組合せて、人体の一部を内部に収容するキャビティを画定するカバーを形成することも含む。
【００３４】
もう一つの例示的な形態によると、複合構造は、永久接着剤ベースの接着マトリックスであって、少なくとも一つの活性剤、できる限り充填剤を含む接着マトリックスで第一層を被覆して製造することができる。活性剤及び／又は充填剤の性質及び量は、複合構造が溶剤によって湿潤した時に、活性剤の放出が可能であるように選択する。第二層は、接着マトリックスが二つの層の間に挟まれるように、塗布第一層と組合せる。これら層は、マトリックスにより直接又は間接的に互いに永久接合される。二つの層の少なくとも一方は、マトリックス中に含まれる活性剤を溶解できる溶剤に対して浸透性がある。第二層は、第二接着マトリックスの一方の面に塗布され、次に、二つの接着マトリックスを互いに固着させる。二つの接着マトリックスは、組成が同じであっても、結合させて二つの異なる外側層を形成し、例えば特定用途の特性を有する二つ面を形成することができる。
【００３５】
本発明の一つ又は複数例示的な形態により、例えば、一つ以上の予め決められた活性剤を含む接着マトリックスでそれぞれ被覆された浸透性層を別個に、かつ大量により容易に製造することができる。したがって、トリートメント装置に意図する用途に応じて、どの層を互いに組合せるかを選択することにより、活性剤を様々に組合せることができる。例えば、二つの外側層と、別個に保存する必要がある活性剤を含む二つの接着マトリックスとを有する複合構造を作製することができる。
【００３６】
本発明のもう一つの例示的な形態により、美容及び／又は皮膚処理などの様々な処理法を行うことができる。例えば、人体の一部を処理する方法は、トリートメント装置のカバーにより画定されるキャビティ内部に、処理する人体の一部を挿入し、溶剤と接触するようにカバーを配置することを含む。例えば、人体部分は、カバーを溶剤と接触するように配置する前後に入れることができる。
【００３７】
随意に、カバーとカバー内に挿入された人体部分との間にマッサージ運動を与えると良い。こうしたマッサージは、カバー内部における一つ以上の活性剤の放出を促進する。
【００３８】
随意に、最初の処理後、カバーの内側を外側に裏返して、内側を外側にしたカバーを使って処理をやり直すことができる。
【００３９】
例示的な処理方法は、最初の処理を行う前に、カバーの二つの異なる面を選択することも含む。
【００４０】
本発明の一つ又は複数の例示的な形態によるトリートメント装置は、概してどの処理にも使用することができる。処理は、美容でも皮膚用でも良い。例えば、この装置は、にきび、皮膚反応疱疹、乾癬などの疾患を処理するために使用することができる。
【００４１】
本発明のもう一つの例示的な形態によると、少なくとも一方の手の少なくとも一部分を処理する方法は、上記のように画定されたカバーから成る手袋内に手を挿入し、カバーを溶剤と接触させて配置することを含む。例えば、手は、カバーを溶剤と接触させて配置する前後に挿入することができる。
【００４２】
本発明のもう一つの例示的な形態によると、少なくとも一方の手の少なくとも一部分を処理するための手袋は、例えば少なくとも一つの保湿剤、荒れ止め剤、疱疹防止剤、火傷治療剤もしくは湿疹治療剤、又は治癒を促進する薬剤を含むことができる。
【００４３】
上記の構造及び手順の配列のほかに、本発明は、以下に記載するその他多くの配列を含むことができる。上記及び以下の説明は一例かつ説明のためにすぎず、本発明を限定するものではないことを理解するべきである。
【００４４】
添付図面は、本発明をさらに理解するためのもので、本明細書の一部として組み込まれ、本明細書の一部を構成する。各図面は、本発明の一例として実施の形態のいくつかを説明と共に示し、それらは本発明のいくつかの原理を説明するのに役立つであろう。
【発明を実施するための最良の形態】
【００４５】
次に、例が添付図面に示されている本発明の例示的な実施の形態について参照する。可能な限り、図面全体を通して、同じ部品もしくは類似部品は、説明で同じ参照符号を使用する。
【００４６】
本発明により、容器の閉鎖システムを提供する。図１を参照すると、図１及び図２に示されているように、トリートメント手袋１０は、組合せ領域１３（破線で示す）の外周部で互いに組合せられて、手を挿入することができるキャビティを画定するカバーを形成する二枚のシート１１及び１２から成っている。
【００４７】
図１及び図２に例示された実施例では、シート１１及び１２は、十分に可撓性であるため、以下に詳細に説明するように、手袋の内側を外側に裏返して新たに処理を行うことができる。
【００４８】
二枚のシート１１及び１２の少なくとも一方は、少なくとも二つの層の間に永久的に配置されて、随意にこれら層と直接接触する接着マトリックスを備える。接着マトリックスは、少なくとも一つの活性剤を含み、少なくとも一つの層は、例えば水などの溶剤に対して浸透性である。溶剤は、処理される表面と接触した時に活性剤が放出されるように、活性剤を分解することができる。
【００４９】
活性剤は、意図する用途に応じて、カバーにより形成されるキャビティの内側、キャビティの外側、又は内側と外側の両方で放出される。
【００５０】
本発明は、手袋の形態のトリートメント装置に限定されない。図３〜図１１は、その他の例示的なトリートメント装置を示すが、これらの実施例は本発明を限定しない。
【００５１】
例えば、図３は、指を処理するための指用手袋２０を示す。指用手袋２０は、指を収容するためのキャビティを画定する環状のカバーから成る。図３及び図４の例示的な実施例では、指用手袋２０は、二枚のシート２１及び２２を組合せ領域２３（破線で示す）に沿ってシートの外周部で組合せて形成される。
【００５２】
図５及び図６は、キャビティが、シート自体の上に折り畳まれて、組合せ領域２３’（破線で示す）に沿って互いに組合された一枚のシート２１’を使って形成される例示的な指用手袋２０’を示す。組合せ領域２３’は、シート２１’の長手方向縁部の一方に沿って、かつ指挿入用開口部から離れた端部を横断して延在する。
【００５３】
図７及び図８は、袋を形成するように賦形されたシート３１により形成されたトリートメントキャップ３０を一例として示している。このシート３１は、その外周部に、カフス３５により保持されるゴム紐３４が設けられる。ゴム紐３４は伸張状態でシート３１に組合されるため、シートは、静止時には外周部周囲にギャザーが寄っている。トリートメントキャップ３０は、例えば髪及び／又は頭皮を処理するために使用される。
【００５４】
図９は、二枚のシート４１及び４２を組合せ領域４３（破線で示す）の外周部に沿って互いに組合せて形成された例示的なトリートメントソックス４０を示す。
【００５５】
図１０は、一枚のシート５１を使用して、図７のトリートメントキャップに類似する方法で形成されているが、サイズがより小さく、例えば耳を収容するのに適するサイズであるなトリートメント袋５０を一例として示している。
【００５６】
図１１は、二枚のシート６１及び６２を組合せ領域６３（破線で示す）に沿って、シートの外周部で互いに組合せて形成されたトリートメントフード６０を一例として示している。
【００５７】
上記の例示的なトリートメント装置は、様々な複合構造からなるシートを備える。いくつかの例示的な複合構造について、以下で説明する。
【００５８】
例えば、図１２は、二つの層I及びIIIの間に挟まれた接着マトリックスIIを含む複合構造を示す。層I及びIIIの少なくとも一方は、溶剤、例えば水、油又はローション、例えばアルコールベースのローションに対して浸透性である。
【００５９】
接着マトリックスIIは、溶剤中で溶解しない永久接着剤をベースとする。永久接着剤により、複合構造が湿った場合にも、二つの層I及びIIIは互いに保持される。接着マトリックスIIは、例えば、皮膚又は髪を洗浄、修復又は処理するための少なくとも1種類の水溶性活性剤、及び複合構造が溶剤中に含浸された時に、接着マトリックスに含まれる少なくとも一つの活性剤が放出されることを可能にする充填剤を含む。接着マトリックスIIは、ビニル化合物、ポリビニルアルコール（PVA）、ポリビニルピロリドン（PVP）、アクリルポリマーなどの擬似ラテックス、ポリウレタン、ラテックスエラストマーなどをベースとする。選択する接着剤は、可逆性であり、例えばPVA及びPVPであるか、又は不可逆性で、例えばアクリル樹脂、ビニル化合物、ポリウレタン及びラテックスエラストマーで良い。
【００６０】
溶剤が水である場合、接着マトリックスIIは、接着マトリックスIIが水を吸収して凝集力を失い、複合構造が湿潤した時に、接着マトリックスIIに含まれる水溶性活性剤が、より容易に放出されることを可能にする充填剤を含むことができる。充填剤は、例えばポリアクリレートなどの吸湿性材料の粒子を含む。
【００６１】
概して、接着マトリックスIIには0.01％〜50％の活性剤、例えばビタミンＣ、ビタミンＡ、ビタミンＦ、ラポナイト、グリセリン、湿潤剤、コラーゲン、サリチル酸、必須芳香油、着色剤及びカフェインから選択した活性剤を含むことができる。また、接着マトリックスには、不活性材料の粉末充填剤、例えばORGASOLを含むこともできる。
【００６２】
層I及びIIIは、随意に伸張可能な様々な浸透性の可撓性組成物、例えば織物フィルム、不織布、発泡体などの多孔性材料、フェルト、又は上記の構成材から選択した一つ以上のその他の構成材と積層された上記構成材の一つを含む、積層材料から構成することができる。層I及びIIIの一つは、不浸透性又はできる限り閉塞性の一つ以上の可撓性構成材、例えば随意に金属で被覆されたプラスチックフィルム、又は金属のシートも含むことができる。層I及びIIIは、これら層が製造される材料の性質により、本質的に親水性又は疎水性であり、これら層を親水性又は疎水性にするための処理が施される。層I及びIIIは、異なる厚さ、異なる性質、異なる色、異なる粗さなどを有して良い。
【００６３】
層I及びIIIの少なくとも一つは、図１３及び図１４に示すように穿孔１００（例えば、スロット）を有する。これら穿孔１００（例えば、スロット）は、接着マトリックス中に含まれる活性剤が皮膚に向かって拡散するのを促進し、カバーの外側又は内側に向かって開いても良い。穿孔１００は十分に狭いため、接着マトリックスが皮膚に直接接触するのを防止することができる。穿孔１００は、カバーを伸張性にするのに役立つ。
【００６４】
層I及びIIIの少なくとも一つは、図１５に示すようにフロッキング１０５で被覆することができる。
【００６５】
複合構造は、図１６に示すように厚さが異なる層I及びIIIの間に挟まれた接着マトリックスIIを含んでいる。外側層I及びIIIは、例えば異なる組織を有する不織布、例えば一方の組織がより軟質であり、他方の組織がより粗い不織布から構成することができる。したがって、使用者は、使用時に、例えば皮膚の表面から不純物を除去するのか、又は通常の表面の洗浄を行うのかに応じて、二種類の表面から選択することができる。選択した特定の表面は、必要な場合、カバーの内側を外側に裏返して使用することができる。
【００６６】
シートの層I及びIIIの一方は、図１７に示すように、例えばヒートシールにより別のシートと容易に組合せることを可能にする表面ウエブ１１０を有する。ウエブ１１０は、例えば不織布上に積層することができる。
【００６７】
活性剤がカバーの一方の面に向かって拡散するのを促進するために、マトリックスは、図１８に示すように、層I及びIIIの一つに、その層の厚さの少なくとも一部分に含浸させる。これは、例えば流体状態のマトリックスを層I及びIIIの一つの上に付着させて、マトリックスが層中に拡散することを可能にして行われる。
【００６８】
複数の接着マトリックスは、直接又は間接的に重ね合わせることができるので、活性剤及び／又は異なる特性を有する支持層の多様な組合せを形成することが可能である。接着マトリックスは、様々な方法で互いに組合せることができ、例えば、互いに張り合わせるか、又は浸透性もしくは不浸透性の層の間に個々に挟むことができる。
【００６９】
例えば、図１９は、二つの外側層I及びIIIの間に挟まれたサブ組立体IIを備える複合構造を示す。サブ組立体IIは、中間層１１５の対向側に配置された二つの接着マトリックスIIa及びIIbを備える。接着マトリックスIIa及びIIbは、例えば異なる活性剤を含む。したがって、使用者は、接着マトリックスIIaがカバーの外側に向かって位置しているか、又は内側に向かって位置しているかに応じて異なる方法で皮膚を処理することができる。
【００７０】
中間層１１５は不浸透性であり、この場合、マトリックスIIb中に含まれる活性剤はマトリックスIIbに向かって拡散せず、あるいはこの逆である。別の方法によると、中間層１１５は浸透性である。
【００７１】
図２０は、互いに張り合わされて、層I及びIIIの間に挟まれた二つのサブマトリックスIIa及びIIbから成る接着マトリックスIIを有する複合構造である。層I及びIIIの一方は閉塞性であり、カバーの内側又は外側に位置する。
【００７２】
例えば、接着マトリックスIIa及びIIbは、異なる活性剤、例えば互いに包装するのに適さない活性剤を含むことができる。
【００７３】
図２０に示す複合構造を製造するには、図２１に示すように、層I及びIIIで開始し、これら層に従来の塗布ステーション１２０及び１３０で接着マトリックスIIa及びIIbを塗布する。これらマトリックスは、塗布作業をより容易にするために、製造時に溶剤を含むことができる。こうした溶剤は揮発性であり、最終的な複合構造からは除去される。次に、塗布層I及びIIIを互いに張り合わせて、最終的な複合構造を形成する。
【００７４】
複数の層は個々に製造でき、各々の層には、予め決められた活性剤を含む接着マトリックスを含浸させることができると考えるべきである。したがって、塗布層は、活性剤の所望の組合せが得られるように組合せることができる。
【００７５】
図２２は、異なる活性剤を含む複数の領域IIc、IId、IIe及びIIfから成る接着マトリックスを示す。この構成は、例えば、活性剤を個々に保存する必要があるが、複数の活性剤を単一の接着マトリックス中に包装する必要がある場合に使用する。図２２の構成は、一枚のシートに別個に保存される活性剤の数を増加させるために使用することもできる。
【００７６】
例えば、領域IIcはビタミンＣを含み、領域IIdは酵素を含み、領域IIeは重炭酸塩を含み、領域IIfはクエン酸を含むことができる。カバーを水などの溶剤に接触させた後、これら様々な化合物が放出され、老化の徴候を処理するための発泡性レチノールを形成する。
【００７７】
例えば、図１に示すトリートメント手袋は、図２３に示す構造から構成することができる。手袋の内側に位置する層IIIは、例えば、ヒートシール可能なウエブに積層された不織ポリエチレン布帛から成る。接着マトリックスIIは、グリセリンを含む永久ポリアクリル系接着剤に基づく。外側層Iは、例えば不織布から構成する。使用時、手を手袋に挿入してから、水を手袋の内側に注ぐ。手は、数回握りしめる。手を手袋から取り出した後、乾燥させる。手は、べたべたせず、数時間にわたって、処置していない手に比べて湿気が少なく感じる。
【００７８】
本発明は、上記の実施例に限定されない。例えば、層及び接着マトリックスのその他の組合せを使用することができる。
【００７９】
接着マトリックスは、複合構造を何回も湿らせて、活性剤を供給するものとして使用することもできる。
【００８０】
水以外の溶剤を使用して複合構造を湿らせることもでき、こうした溶剤は、使用者に対する外用に適応する。
【００８１】
当業者には、本発明の構造及び方法に様々な改良及び変形を加えることができることは明白である。したがって、本発明は、本明細書に記載した実施例に限定されない。むしろ、本発明は、改良及び変形を網羅することを意図している。
【図面の簡単な説明】
【００８２】
【図１】本発明により作製されたトリートメント手袋の概略前面図。
【図２】図１の線II−IIに沿った略断面図。
【図３】本発明による手袋の指に関する実施例の側面図。
【図４】図３の線IV−IVに沿って切った断面図。
【図５】本発明による別の手袋の指の側面図。
【図６】図５の線VI−VIに沿って切った断面図。
【図７】本発明によるトリートメントキャップの実施例。
【図８】図７の線VIII−VIIIに沿った概略断面図。
【図９】本発明によるトリートメントソックスの実施例。
【図１０】本発明によるトリートメント袋。
【図１１】本発明によるトリートメントフードの実施例。
【図１２】使用できる構造の実施例。
【図１３】使用できる構造の実施例。
【図１４】使用できる構造の実施例。
【図１５】使用できる構造の実施例。
【図１６】使用できる構造の実施例。
【図１７】使用できる構造の実施例。
【図１８】使用できる構造の実施例。
【図１９】使用できる構造の実施例。
【図２０】使用できる構造の実施例。
【図２１】図２０に示すシートの実施例を製造する方法。
【図２２】図２０の構造の変形実施例。
【図２３】図２の部分XXIIIの詳細断面図。
【符号の説明】
【００８３】
１０    トリートメント手袋
１１    シート
１２    シート
１３    組合せ領域
２０    指用手袋
２０’  指用手袋
２１    シート
２１’  シート
２２    シート
２３    組合わせ領域
２３’  組合わせ領域
３０    トリートメントキャップ
３１    シート
３４    ゴム紐
３５    カフス
４０    トリートメントソックス
４１    シート
４２    シート
４３    組合わせ領域
５０    トリートメント袋
５１    シート
６０    トリートメントフード
６１    シート
６２    シート
６３    組合せ領域
１００  穿孔
１０５  フロッキング
１１０  表面ウエブ
１２０  塗付ステーション
１３０  塗付ステーション
Ｉ      層
ＩＩ    接着マトリックス／サブ組立体
ＩＩａ  サブマトリックス
ＩＩｂ  サブマトリックス
ＩＩｃ  領域
ＩＩｄ  領域
ＩＩｅ  領域
ＩＩｆ  領域
ＩＩＩ  層
【図１】
2004283614.tif 000003
【図２】
2004283614.tif 000004
【図３】
2004283614.tif 000005
【図４】
2004283614.tif 000006
【図５】
2004283614.tif 000007
【図６】
2004283614.tif 000008
【図７】
2004283614.tif 000009
【図８】
2004283614.tif 000010
【図９】
2004283614.tif 000011
【図１０】
2004283614.tif 000012
【図１１】
2004283614.tif 000013
【図１２】
2004283614.tif 000014
【図１３】
2004283614.tif 000015
【図１４】
2004283614.tif 000016
【図１５】
2004283614.tif 000017
【図１６】
2004283614.tif 000018
【図１７】
2004283614.tif 000019
【図１８】
2004283614.tif 000020
【図１９】
2004283614.tif 000021
【図２０】
2004283614.tif 000022
【図２１】
2004283614.tif 000023
【図２２】
2004283614.tif 000024
【図２３】
2004283614.tif 000025